(57)【要約】【課題】イメージキャプチャー機能付ディスプレイにより指紋の認識と利用者の指の動作を感知することのできるシステム等を提供することを課題とする。【解決手段】認証装置１００は、イメージキャプチャー機能付きディスプレイ部４０にて感知した指紋パターンが予め登録された利用者の指紋パターン情報と一致するか認識し、イメージキャプチャー機能付きディスプレイ部４０にて感知した利用者の指の動作が予め登録された動作パターン情報と一致するか認識する機能を有する。イメージキャプチャー機能付きディスプレイ部４０は、各種のメニューやボタンなどの表示オブジェクト３０の通常の表示機能に加えて、利用者の指紋パターンを感知する指紋パターン感知機能と、イメージキャプチャー機能付ディスプレイにより利用者の指の動作を感知する動作感知機能とを備える。【選択図】      図１
2004334788.tif 000002
【特許請求の範囲】
【請求項１】
イメージキャプチャー機能付ディスプレイを備えた利用者が正当な利用者であることを認証する認証装置と、上記利用者が使用する外部装置と含む個人認証システムであって、
上記認証装置は、
上記イメージキャプチャー機能付ディスプレイにより上記利用者の指紋パターンを感知する指紋感知手段と、
前記指紋感知手段にて感知した上記指紋パターンが予め登録された上記利用者の指紋パターン情報と一致するか認証する指紋認証手段と、
上記イメージキャプチャー機能付ディスプレイにより利用者の指の動作を感知する動作感知手段と、
前記動作感知手段にて感知した上記動作が予め登録された動作パターン情報と一致するか識別する動作識別手段と、
を備えたことを特徴とする個人認証システム。
【請求項２】
上記認証装置は、
上記利用者の指が感知された領域であるフィンガー・スポットを認識するフィンガー・スポット認識手段と、
上記フィンガー・スポット認識手段により認識された上記フィンガー・スポットから予め定めた距離の位置にフィンガー・カーソルを表示するフィンガー・カーソル表示手段と、
をさらに備えたことを特徴とする請求項１に記載の個人認証システム。
【請求項３】
上記認証装置は、
上記利用者の上記動作パターン情報に対応する命令情報を格納する命令情報格納手段と、
上記動作識別手段により認識された前記動作パターン情報に対応する前記命令情報を検索する命令情報検索手段と、
をさらに備えたことを特徴とする請求項１または２に記載の個人認証システム。
【請求項４】
上記認証装置は、
上記命令情報検索手段にて検索された上記命令情報を実行する命令情報実行手段、
をさらに備えたことを特徴とする請求項３に記載の個人認証システム。
【請求項５】
上記認証装置は、
上記命令情報検索手段にて検索された上記命令情報を上記外部装置に送信する命令情報送信手段、
をさらに備えたことを特徴とする請求項３または４に記載の認証装置。
【請求項６】
イメージキャプチャー機能付ディスプレイにより利用者の指紋パターンを感知する指紋感知手段と、
前記指紋感知手段にて感知した上記指紋パターンが予め登録された上記利用者の指紋パターン情報と一致するか認証する指紋認証手段と、
上記イメージキャプチャー機能付ディスプレイにより上記利用者の指の動作を感知する動作感知手段と、
前記動作感知手段にて感知した上記動作が予め登録された動作パターン情報と一致するか識別する動作識別手段と、
を備えたことを特徴とする認証装置。
【請求項７】
上記利用者の指が感知された領域であるフィンガー・スポットを認識するフィンガー・スポット認識手段と、
上記フィンガー・スポット認識手段により認識された上記フィンガー・スポットから予め定めた距離の位置にフィンガー・カーソルを表示するフィンガー・カーソル表示手段と、
を備えたことを特徴とする請求項６に記載の認証装置。
【請求項８】
上記利用者の上記動作パターン情報に対応する命令情報を格納する命令情報格納手段と、
上記動作識別手段により認識された前記動作パターン情報に対応する前記命令情報を検索する命令情報検索手段と、
をさらに備えたことを特徴とする請求項６または７に記載の認証装置。
【請求項９】
上記命令情報検索手段にて検索された上記命令情報を実行する命令情報実行手段と、
をさらに備えたことを特徴とする請求項８に記載の認証装置。
【請求項１０】
上記命令情報検索手段にて検索された上記命令情報を上記外部装置に送信する命令情報送信手段と、
をさらに備えたことを特徴とする請求項８または９に記載の認証装置。
【請求項１１】
イメージキャプチャー機能付ディスプレイを備えた利用者が正当な利用者であることを認証する認証装置と、上記利用者が使用する外部装置と含む個人認証システムを用いて実行される個人認証方法であって、
上記イメージキャプチャー機能付ディスプレイにより上記利用者の指紋パターンを感知する指紋感知ステップと、
前記指紋感知ステップにて感知した上記指紋パターンが予め登録された上記利用者の指紋パターン情報と一致するか認証する指紋認証ステップと、
上記イメージキャプチャー機能付ディスプレイにより上記利用者の指の動作を感知する動作感知ステップと、
前記動作感知ステップにて感知した上記動作が予め登録された動作パターン情報と一致するか識別する動作識別ステップと、
を含むことを特徴とする個人認証方法。
【請求項１２】
上記利用者の指が感知された領域であるフィンガー・スポットを認識するフィンガー・スポット認識ステップと、
上記フィンガー・スポット認識手段により認識された上記フィンガー・スポットから予め定めた距離の位置にフィンガー・カーソルを表示するフィンガー・カーソル表示ステップと、
をさらに含むことを特徴とする請求項１１に記載の個人認証方法。
【請求項１３】
上記利用者の上記動作パターン情報に対応する命令情報を格納する命令情報格納ステップと、
上記動作識別ステップにより認識された前記動作パターン情報に対応する前記命令情報を検索する命令情報検索ステップと、
をさらに含むことを特徴とする請求項１１または１２に記載の個人認証方法。
【請求項１４】
上記命令情報検索ステップにて検索された上記命令情報を実行する命令情報実行ステップ、
をさらに含むことを特徴とする請求項１３に記載の個人認証方法。
【請求項１５】
上記命令情報検索ステップにて検索された上記命令情報を上記外部装置に送信する命令情報送信ステップ、
をさらに含むことを特徴とする請求項１３または１４に記載の個人認証方法。
【請求項１６】
イメージキャプチャー機能付ディスプレイを備えた利用者が正当な利用者であることを認証する認証装置により実行される個人認証方法をコンピュータに実行させるためのプログラムであって、
上記イメージキャプチャー機能付ディスプレイにより上記利用者の指紋パターンを感知する指紋感知ステップと、
前記指紋感知ステップにて感知した上記指紋パターンが予め登録された上記利用者の指紋パターン情報と一致するか認証する指紋認証ステップと、
上記イメージキャプチャー機能付ディスプレイにより上記利用者の指の動作を感知する動作感知ステップと、
前記動作感知ステップにて感知した上記動作が予め登録された動作パターン情報と一致するか識別する動作識別ステップと、
を含むことを特徴とするプログラム。
【請求項１７】
上記利用者の指が感知された領域であるフィンガー・スポットを認識するフィンガー・スポット認識ステップと、
上記フィンガー・スポット認識手段により認識された上記フィンガー・スポットから予め定めた距離の位置にフィンガー・カーソルを表示するフィンガー・カーソル表示ステップと、
をさらに含むことを特徴とする請求項１６に記載のプログラム。
【請求項１８】
上記利用者の上記動作パターン情報に対応する命令情報を格納する命令情報格納ステップと、
上記動作識別ステップにより認識された前記動作パターン情報に対応する前記命令情報を検索する命令情報検索ステップと、
をさらに含むことを特徴とする請求項１６または１７に記載のプログラム。
【請求項１９】
上記命令情報検索ステップにて検索された上記命令情報を実行する命令情報実行ステップと、
をさらに含むことを特徴とする請求項１８に記載のプログラム。
【請求項２０】
上記命令情報検索ステップにて検索された上記命令情報を上記外部装置に送信する命令情報送信ステップと、
をさらに含むことを特徴とする請求項１８または１９に記載のプログラム。
【請求項２１】
請求項１６から２０のいずれか一つに記載のプログラムを記録したことを特徴とする記録媒体。
【発明の詳細な説明】
【０００１】
【発明の属する技術分野】
本発明は、利用者の指紋パターンを用いる個人認証システム、認証装置、個人認証方法、プログラム、および、記録媒体に関し、特に、イメージキャプチャー機能付ディスプレイにより利用者の指紋パターンと指の動作パターンとを感知する個人認証システム、認証装置、個人認証方法、プログラム、および、記録媒体に関する。
【０００２】
【従来の技術】
従来より、人間の指の指紋を認識することにより本人認証を行うことができる認証装置が存在する。現在市販されている指紋認証デバイスは、１秒あたり８回の指紋認証が可能なため連続的な本人確認が可能で、当該デバイスから指を離す、あるいは途中で他人に代わると直ちにそれを感知できるものがある。
【０００３】
【発明が解決しようとする課題】
しかしながら、従来の指紋認証デバイスでは利用者の指紋パターンのみで認識を行っているので、万が一類似性の高い指紋を有する他人が利用者になりすまして利用することを完全に防止することができないという問題点を有していた。
【０００４】
また、従来の指紋認証デバイスでは、人間の指の動きを感知することができないため、認識後の装置のオペーレーション動作等については、別途ボタン等を操作する必要があった。
【０００５】
このように、従来の認識装置等は数々の問題点を有しており、その結果、認識装置の利用者および管理者のいずれにとっても、利便性が悪く、また、利用効率が悪いものであった。
【０００６】
本発明は上記問題点に鑑みてなされたもので、指紋の認識と利用者の指の動作を感知することのできる、個人認証システム、認証装置、個人認証方法、プログラム、および、記録媒体を提供することを目的としている。
【０００７】
【課題を解決するための手段】
このような目的を達成するため、請求項１に記載の個人認証システムは、イメージキャプチャー機能付ディスプレイを備えた利用者が正当な利用者であることを認証する認証装置と、上記利用者が使用する外部装置と含む個人認証システムであって、上記認証装置は、上記イメージキャプチャー機能付ディスプレイにより上記利用者の指紋パターンを感知する指紋感知手段と、前記指紋感知手段にて感知した上記指紋パターンが予め登録された上記利用者の指紋パターン情報と一致するか認証する指紋認証手段と、上記イメージキャプチャー機能付ディスプレイにより利用者の指の動作を感知する動作感知手段と、前記動作感知手段にて感知した上記動作が予め登録された動作パターン情報と一致するか識別する動作識別手段とを備えたことを特徴とする。
【０００８】
このシステムによれば、イメージキャプチャー機能付ディスプレイにより利用者の指紋パターンを感知し、感知した指紋パターンが予め登録された利用者の指紋パターン情報と一致するか認識し、イメージキャプチャー機能付ディスプレイにより利用者の指の動作を感知し、感知した動作が予め登録された動作パターン情報と一致するか認識するので、イメージキャプチャー機能付ディスプレイを用いた指紋による本人認証と動作による認証とを併用することによりセキュリティーを高めることができるようになり、また、認証後に使用する外部装置等への命令等を同時に入力することができるようになる。
【０００９】
また、請求項２に記載の個人認証システムは、請求項１に記載の個人認証システムにおいて、上記認証装置は、上記利用者の指が感知された領域であるフィンガー・スポットを認識するフィンガー・スポット認識手段と、上記フィンガー・スポット認識手段により認識された上記フィンガー・スポットから予め定めた距離の位置にフィンガー・カーソルを表示するフィンガー・カーソル表示手段とをさらに備えたことを特徴とする。
【００１０】
このシステムによれば、利用者の指が感知された領域であるフィンガー・スポットを認識し、認識されたフィンガー・スポットから予め定めた距離の位置にフィンガー・カーソルを表示するので、マウスなどのようにピンポイント的な入力位置の指示や、細かな入力位置の指示ができるようになる。
【００１１】
また、請求項３に記載の個人認証システムは、請求項１または２に記載の個人認証システムにおいて、上記認証装置は、上記利用者の上記動作パターン情報に対応する命令情報を格納する命令情報格納手段と、上記動作識別手段により認識された前記動作パターン情報に対応する前記命令情報を検索する命令情報検索手段とをさらに備えたことを特徴とする。
【００１２】
このシステムによれば、認証装置は、利用者の動作パターン情報に対応する命令情報を格納し、認識された動作パターン情報に対応する命令情報を検索するので、本人認証後の外部装置の操作等を一連の動作にて指定することができるようになる。
【００１３】
また、請求項４に記載の個人認証システムは、請求項３に記載の個人認証システムにおいて、上記認証装置は、上記命令情報検索手段にて検索された上記命令情報を実行する命令情報実行手段をさらに備えたことを特徴とする。
【００１４】
このシステムによれば、認証装置は、検索された命令情報を実行するので、特権モードから利用者モードへの移行などの各種の命令情報を指定した動作により実行することができるようになる。
【００１５】
また、請求項５に記載の個人認証システムは、請求項３または４に記載の認証装置において、上記認証装置は、上記命令情報検索手段にて検索された上記命令情報を上記外部装置に送信する命令情報送信手段をさらに備えたことを特徴とする。
【００１６】
このシステムによれば、認証装置は、検索された命令情報を外部装置に送信するので、外部装置に対する各種の命令情報を指定した動作により送信することができるようになる。
【００１７】
また、本発明は認証装置に関するものであり、請求項６に記載の認証装置は、イメージキャプチャー機能付ディスプレイにより利用者の指紋パターンを感知する指紋感知手段と、前記指紋感知手段にて感知した上記指紋パターンが予め登録された上記利用者の指紋パターン情報と一致するか認証する指紋認証手段と、イメージキャプチャー機能付ディスプレイにより利用者の指の動作を感知する動作感知手段と、前記動作感知手段にて感知した上記動作が予め登録された動作パターン情報と一致するか識別する動作識別手段とを備えたことを特徴とする。
【００１８】
この認証装置によれば、イメージキャプチャー機能付ディスプレイにより利用者の指紋パターンを感知し、感知した指紋パターンが予め登録された利用者の指紋パターン情報と一致するか認識し、イメージキャプチャー機能付ディスプレイにより利用者の指の動作を感知し、感知した動作が予め登録された動作パターン情報と一致するか認識するので、イメージキャプチャー機能付ディスプレイを用いた指紋による本人認証と動作による認証とを併用することによりセキュリティーを高めることができるようになり、また、認証後に使用する外部装置等への命令等を同時に入力することができるようになる。
【００１９】
また、請求項７に記載の認証装置は、請求項６に記載の認証装置において、上記利用者の指が感知された領域であるフィンガー・スポットを認識するフィンガー・スポット認識手段と、上記フィンガー・スポット認識手段により認識された上記フィンガー・スポットから予め定めた距離の位置にフィンガー・カーソルを表示するフィンガー・カーソル表示手段とを備えたことを特徴とする。
【００２０】
この認証装置によれば、利用者の指が感知された領域であるフィンガー・スポットを認識し、認識されたフィンガー・スポットから予め定めた距離の位置にフィンガー・カーソルを表示するので、マウスなどのようにピンポイント的な入力位置の指示や、細かな入力位置の指示ができるようになる。
【００２１】
また、請求項８に記載の認証装置は、請求項６または７に記載の認証装置において、上記利用者の上記動作パターン情報に対応する命令情報を格納する命令情報格納手段と、上記動作識別手段により認識された前記動作パターン情報に対応する前記命令情報を検索する命令情報検索手段とをさらに備えたことを特徴とする。
【００２２】
この認証装置によれば、認証装置は、利用者の動作パターン情報に対応する命令情報を格納し、認識された動作パターン情報に対応する命令情報を検索するので、本人認証後の外部装置の操作等を一連の動作にて指定することができるようになる。
【００２３】
また、請求項９に記載の認証装置は、請求項８に記載の認証装置において、上記命令情報検索手段にて検索された上記命令情報を実行する命令情報実行手段をさらに備えたことを特徴とする。
【００２４】
この認証装置によれば、認証装置は、検索された命令情報を実行するので、特権モードから利用者モードへの移行などの各種の命令情報を指定した動作により実行することができるようになる。
【００２５】
また、請求項１０に記載の認証装置は、請求項８または９に記載の認証装置において、上記命令情報検索手段にて検索された上記命令情報を上記外部装置に送信する命令情報送信手段をさらに備えたことを特徴とする。
【００２６】
この認証装置によれば、認証装置は、検索された命令情報を外部装置に送信するので、外部装置に対する各種の命令情報を指定した動作により送信することができるようになる。
【００２７】
また、本発明は個人認証方法に関するものであり、請求項１１に記載の個人認証方法は、イメージキャプチャー機能付ディスプレイを備えた利用者が正当な利用者であることを認証する認証装置と、上記利用者が使用する外部装置と含む個人認証システムを用いて実行される個人認証方法であって、上記イメージキャプチャー機能付ディスプレイにより上記利用者の指紋パターンを感知する指紋感知ステップと、前記指紋感知ステップにて感知した上記指紋パターンが予め登録された上記利用者の指紋パターン情報と一致するか認証する指紋認証ステップと、上記イメージキャプチャー機能付ディスプレイにより上記利用者の指の動作を感知する動作感知ステップと、前記動作感知ステップにて感知した上記動作が予め登録された動作パターン情報と一致するか識別する動作識別ステップとを含むことを特徴とする。
【００２８】
この方法によれば、イメージキャプチャー機能付ディスプレイにより利用者の指紋パターンを感知し、感知した指紋パターンが予め登録された利用者の指紋パターン情報と一致するか認識し、イメージキャプチャー機能付ディスプレイにより利用者の指の動作を感知し、感知した動作が予め登録された動作パターン情報と一致するか認識するので、イメージキャプチャー機能付ディスプレイを用いた指紋による本人認証と動作による認証とを併用することによりセキュリティーを高めることができるようになり、また、認証後に使用する外部装置等への命令等を同時に入力することができるようになる。
【００２９】
また、請求項１２に記載の個人認証方法は、請求項１１に記載の個人認証方法において、上記利用者の指が感知された領域であるフィンガー・スポットを認識するフィンガー・スポット認識ステップと、上記フィンガー・スポット認識手段により認識された上記フィンガー・スポットから予め定めた距離の位置にフィンガー・カーソルを表示するフィンガー・カーソル表示ステップとをさらに含むことを特徴とする。
【００３０】
この方法によれば、利用者の指が感知された領域であるフィンガー・スポットを認識し、認識されたフィンガー・スポットから予め定めた距離の位置にフィンガー・カーソルを表示するので、マウスなどのようにピンポイント的な入力位置の指示や、細かな入力位置の指示ができるようになる。
【００３１】
また、請求項１３に記載の個人認証方法は、請求項１１または１２に記載の個人認証方法において、上記認証装置は、上記利用者の上記動作パターン情報に対応する命令情報を格納する命令情報格納ステップと、上記動作識別ステップにより認識された前記動作パターン情報に対応する前記命令情報を検索する命令情報検索ステップとをさらに含むことを特徴とする。
【００３２】
この方法によれば、認証装置は、利用者の動作パターン情報に対応する命令情報を格納し、認識された動作パターン情報に対応する命令情報を検索するので、本人認証後の外部装置の操作等を一連の動作にて指定することができるようになる。
【００３３】
また、請求項１４に記載の個人認証方法は、請求項１３に記載の個人認証方法において、上記認証装置は、上記命令情報検索ステップにて検索された上記命令情報を実行する命令情報実行ステップをさらに含むことを特徴とする。
【００３４】
この方法によれば、認証装置は、検索された命令情報を実行するので、特権モードから利用者モードへの移行などの各種の命令情報を指定した動作により実行することができるようになる。
【００３５】
また、請求項１５に記載の個人認証方法は、請求項１３または１４に記載の個人認証方法において、上記認証装置は、上記命令情報検索ステップにて検索された上記命令情報を上記外部装置に送信する命令情報送信ステップをさらに含むことを特徴とする。
【００３６】
この方法によれば、認証装置は、検索された命令情報を外部装置に送信するので、外部装置に対する各種の命令情報を指定した動作により送信することができるようになる。
【００３７】
また、本発明はプログラムに関するものであり、請求項１６に記載のプログラムは、イメージキャプチャー機能付ディスプレイを備えた利用者が正当な利用者であることを認証する認証装置により実行される個人認証方法をコンピュータに実行させるためのプログラムであって、上記イメージキャプチャー機能付ディスプレイにより上記利用者の指紋パターンを感知する指紋感知ステップと、前記指紋感知ステップにて感知した上記指紋パターンが予め登録された上記利用者の指紋パターン情報と一致するか認証する指紋認証ステップと、上記イメージキャプチャー機能付ディスプレイにより上記利用者の指の動作を感知する動作感知ステップと、前記動作感知ステップにて感知した上記動作が予め登録された動作パターン情報と一致するか識別する動作識別ステップとを含むことを特徴とする。
【００３８】
このプログラムによれば、イメージキャプチャー機能付ディスプレイにより利用者の指紋パターンを感知し、感知した指紋パターンが予め登録された利用者の指紋パターン情報と一致するか認識し、イメージキャプチャー機能付ディスプレイにより利用者の指の動作を感知し、感知した動作が予め登録された動作パターン情報と一致するか認識するので、イメージキャプチャー機能付ディスプレイを用いた指紋による本人認証と動作による認証とを併用することによりセキュリティーを高めることができるようになり、また、認証後に使用する外部装置等への命令等を同時に入力することができるようになる。
【００３９】
また、請求項１７に記載のプログラムは、請求項１６に記載のプログラムにおいて、上記利用者の指が感知された領域であるフィンガー・スポットを認識するフィンガー・スポット認識ステップと、上記フィンガー・スポット認識手段により認識された上記フィンガー・スポットから予め定めた距離の位置にフィンガー・カーソルを表示するフィンガー・カーソル表示ステップとをさらに含むことを特徴とする。
【００４０】
このプログラムによれば、利用者の指が感知された領域であるフィンガー・スポットを認識し、認識されたフィンガー・スポットから予め定めた距離の位置にフィンガー・カーソルを表示するので、マウスなどのようにピンポイント的な入力位置の指示や、細かな入力位置の指示ができるようになる。
【００４１】
また、請求項１８に記載のプログラムは、請求項１６または１７に記載のプログラムにおいて、上記利用者の上記動作パターン情報に対応する命令情報を格納する命令情報格納ステップと、上記動作識別ステップにより認識された前記動作パターン情報に対応する前記命令情報を検索する命令情報検索ステップとをさらに含むことを特徴とする。
【００４２】
このプログラムによれば、プログラムは、利用者の動作パターン情報に対応する命令情報を格納し、認識された動作パターン情報に対応する命令情報を検索するので、本人認証後の外部装置の操作等を一連の動作にて指定することができるようになる。
【００４３】
また、請求項１９に記載のプログラムは、請求項１８に記載のプログラムにおいて、上記命令情報検索ステップにて検索された上記命令情報を実行する命令情報実行ステップをさらに含むことを特徴とする。
【００４４】
このプログラムによれば、プログラムは、検索された命令情報を実行するので、特権モードから利用者モードへの移行などの各種の命令情報を指定した動作により実行することができるようになる。
【００４５】
また、請求項２０に記載のプログラムは、請求項１８または１９に記載のプログラムにおいて、上記命令情報検索ステップにて検索された上記命令情報を上記外部装置に送信する命令情報送信ステップをさらに含むことを特徴とする。
【００４６】
このプログラムによれば、プログラムは、検索された命令情報を外部装置に送信するので、外部装置に対する各種の命令情報を指定した動作により送信することができるようになる。
【００４７】
また、本発明は記録媒体に関するものであり、請求項２１に記載の記録媒体は、上記請求項１６から２０のいずれか一つに記載されたプログラムをコンピュータに実行させるためのプログラムを記録したことを特徴とする。
【００４８】
この記録媒体によれば、当該記録媒体に記録されたプログラムをコンピュータに読み取らせて実行することによって、請求項１６から２０のいずれか一つに記載されたプログラムをコンピュータを利用して実現することができ、これら各プログラムと同様の効果を得ることができる。
【００４９】
【発明の実施の形態】
以下に、本発明にかかる個人認証システム、認証装置、個人認証方法、プログラム、および、記録媒体の実施の形態を図面に基づいて詳細に説明する。なお、この実施の形態によりこの発明が限定されるものではない。
【００５０】
［本システムの概要］
以下、本システムの概要について説明し、その後、本システムの構成および処理等について詳細に説明する。図１は本システムの全体構成の一例を示すブロック図であり、該システム構成のうち本発明に関係する部分のみを概念的に示している。
【００５１】
本システムは、利用者が正当な利用者であることを認証する認証装置１００と、上記利用者が使用する外部装置２００とをネットワーク３００を介して相互に接続して構成されている。
【００５２】
このシステムは、概略的に、以下の基本的特徴を有する。すなわち、認証装置１００は、イメージキャプチャー機能付きディスプレイ部４０と、ネットワーク３００に対して各種の無線または有線の通信手段を用いて通信を行う通信部１０８とを備える。
【００５３】
認証装置１００は、イメージキャプチャー機能付きディスプレイ部４０にて感知した指紋パターンが予め登録された利用者の指紋パターン情報と一致するか認識し、イメージキャプチャー機能付きディスプレイ部４０にて感知した利用者の指の動作が予め登録された動作パターン情報と一致するか認識する機能を有する。
【００５４】
すなわち、当該イメージキャプチャー機能付きディスプレイ部４０は、各種のメニューやボタンなどの表示オブジェクト３０（例えば、一般的なメニュー、ボタン、バーコード表示などの他、後述するフィンガー・スポット、フィンガー・カーソルなどを含む）などの通常の表示機能に加えて、利用者の指紋パターンを感知する指紋パターン感知機能と、イメージキャプチャー機能付ディスプレイにより利用者の指の動作を感知する動作感知機能とを備える。
【００５５】
また、認証装置１００は、利用者の指の動作パターン情報に対応する命令情報を記憶装置に格納し、イメージキャプチャー機能付きディスプレイ部４０により認識された動作パターン情報に対応する命令情報を検索し、検索された命令情報を実行し、また、検索された命令情報を通信部１０８を介して外部装置２００に送信する。
【００５６】
図２は、本発明のイメージキャプチャー機能付きディスプレイ部４０の基本原理を説明するための概念図である。図２に示すように、イメージキャプチャー機能付きディスプレイ部４０は、液晶中の発光画素（図２における液晶の四角で示す部分）の中に光センサーなどの受光素子（図２における液晶の丸で示す部分）を作り込むことで実現されている。
【００５７】
現在、ＴＦＴ液晶のディスプレイ画面上から直接画像を取り込めるイメージキャプチャー（インプット）ディスプレイ装置が開発されており、本発明のイメージキャプチャー機能付きディスプレイ部４０は、例えば、現在市販されているＱＶＧＡ対角８．９ｃｍ（３．５型）の低温ポリシリコンＴＦＴ−ＬＣＤで通常の液晶表示装置としての表示機能を備えたものを用いてもよい。
【００５８】
イメージキャプチャー機能付きディスプレイ部４０は、液晶の表示面に印刷物などを接触させると、裏側にある受光素子が反応してイメージをとりこむことができ、とりこんだ画像情報はディジタル信号に変換され、認証装置１００により解析、加工や記憶などの処理ができる。
【００５９】
すなわち、本発明では、イメージキャプチャー機能付きディスプレイ部４０の液晶の裏面の受光素子によって、画面上に接触させた指の指紋パターンを感知し（指紋パターン感知機能）、画面に指を接触させたまま指を動かすと、その指の動きを感知することができる（動作感知機能）。
【００６０】
また、指を立てたり寝かしたり起こしたり、左右に傾けるとその傾きを認識する。これによって、利用者が上、下、左，右などの方向を意味する情報の入力ができる。これは、ＰＣのマウスを机上で上下、左右へ動かす動作を代替するものである。
【００６１】
また、表示画面上への指のタッチ（接触）とデタッチ（非接触）を認識することによって、ＰＣのマウスボタンを用いるクリック、ダブルクリックを代替する。
【００６２】
以上の指の動作を認識しながら同時に認証装置１００の指紋認証部によって指紋による本人認証が行われ、さらに、動作識別部による指の動作の識別が行われることにより、制限された操作などを許されていない人間が特定の処理を行うことを阻止する。
【００６３】
また、これによって、現在マウスやタッチパッドで実現されている、表示オブジェクトの操作を画面上で指だけでできるようになる。
【００６４】
図３は、指の動作に連動したカーソル移動とクリッキッグの概念を説明する図である。イメージキャプチャー機能付きディスプレイ部４０は、図３に示すように、画面に表示されたオブジェクト上へ指を置いたり、指を移動（ドラッグ）させたり、あるいは指の傾きの変化を感知できる。
【００６５】
メニューの選択はイメージキャプチャー機能付きディスプレイ部４０上でクリック（ボタンに指を素早く一回タッチ、あるいは２回タッチ）で行う。クリックによるメニュー選択は特定の許された人のみができる。また、認証装置１００の指紋認証部の処理により、クリック操作を行った人を特定できる。つまり、カーソル移動などを含む殆ど全てのコンピュータ操作をイメージキャプチャー機能付きディスプレイ部４０上で指を使って直接行うことができる。
【００６６】
また、イメージキャプチャー機能付きディスプレイ部４０は、カーソル移動中も指紋の認識が可能なので、カーソルの移動を選択的に制限でき、本人に許されたメニューの選択だけに限定できる。つまり制限されたメニューは選択できない。
【００６７】
再び図１において、外部装置２００の主な対象は、コンピュータ、携帯電話、ＰＤＡ、ゲーム機、業務用モバイル機器、キャッシュレジスタ、自動販売機、ＡＴＭなどを含み、それに限定するものではない。また、認証装置１００と外部装置２００を一体として構成することもできる。
【００６８】
また、外部装置２００から、現在のパソコンや各種の機器類で使われているような様々なメニュー、アイコン、ボタン、選択リストなどを認証装置１００のイメージキャプチャー機能付きディスプレイ部４０の表示機能を使って利用者に伝えることができ、これらの組み合わせによって、複雑で高度な指示や意志表示を行うことができる。図４および図５はコンピュータ画面でそれを実現した例を示す。
【００６９】
図４は、認証装置１００のイメージキャプチャー機能付きディスプレイ部４０にメニュー画面を表示する場合の一例を示す図である。図４に示すように、認証装置１００のイメージキャプチャー機能付きディスプレイ部４０に表示されたメニュー画面上の各表示オブジェクトを指で直接ドラッグ、クリック、ダブルクリックなどを行うと同時に、指紋認証を行う。これにより、選択対象や操作内容を制限、特定することができるようになる。
【００７０】
また、図５は、認証装置１００のイメージキャプチャー機能付きディスプレイ部４０にメニュー画面を表示する場合の別の一例を示す図である。図５に示すように、認証装置１００のイメージキャプチャー機能付きディスプレイ部４０に表示された各表示オブジェクトは数字や文字、あるいは、「Ｙｅｓ」、「Ｎｏ」、「承認」、「非承認」などのオペレーションに対応付けることができる。こうしたオブジェクトの選択や入力情報は、同時に行われる指紋認証によりその内容と共に操作者の本人性が証明できる。
【００７１】
また、図１２は、本発明の別のシステム構成を示す概念図である。主としてコスト要因から、本発明の認証装置１００を通常のコンピュータなどの外部装置２００と一体的または脱着可能に構成し、また、外部装置２００の表示専用の液晶表示装置などと別に独立させて装着しても良い。この場合は、メニューやボタンの選択など全ての操作が本人によってなされたことを保障する現行におけるタッチパッドの完全な代替となる。
【００７２】
ただし、上記の機能が他の代替手段で実現されていてもかまわない。例えば、イメージキャプチャー機能付ディスプレイにより利用者の指の動作を感知する動作感知機能は、ボタン状のスイッチの外縁に配置したマイクロスイッチあるいは圧電素子などのセンサーを使って実現されていても、本発明の有効性は保たれるものであり、ボタンなどの実現方式とは無関係に成立する。
【００７３】
また、表示装置は液晶でなく他の手段で実現されていてもよく、さらに、入力機能を有する他の手段で実現されていても構わない。要は、表示装置と入力装置が一体となっていて、かつ表示面と入力面が同一の面から構成されていることを満たせば、いかなる装置を用いてもよい。
【００７４】
次に、フィンガー・スポットとフィンガー・カーソルとをイメージキャプチャー機能付ディスプレイに表示する場合の本発明の概念について、図３５を参照して説明する。図３５は、本発明によるフィンガー・スポットとフィンガー・カーソルの概念を説明する概念図である。
【００７５】
本発明では、利用者が指で画面にタッチして画面上のオブジェクトを特定し、ドラッグを行うことができ、またクリックによってメニューなどの選択が可能である。しかし、現実には指で指定する領域は、指の大きさに制限され、ピンポイント的な細かな指定が難い。画面上の小さなメニューの選択などでは操作が容易でない。
【００７６】
それを改善するために、画面上を指で指した場所と数センチはなれた場所に矢印（カーソル）を表示する。これをフィンガー・カーソルと呼ぶ。図３５に示すのはその概念で、画面に指をタッチすると指の位置を認識した結果を表す領域（フィンガー・スポット）とフィンガー・カーソルが現れ、その先端が画面上のカーソルとなる。指の位置とカーソルとの位置の相対関係は、指の傾きや左右へのローリングなどをセンスして、自在に変えられるものとする。
【００７７】
図３５に示すように、指が接触している部分（フィンガー・スポット）とそれに連動するカーソル（フィンガー・カーソル）は、指を画面上で移動（ドラッグ）すると指の移動と共に移動し、マウス移動に連動して移動するカーソル機能を代替する。
【００７８】
指が置かれた場所（フィンガー・スポット）上では、クリックとダブルクリックができる。これは、マウス上のボタンの機能を代替する。以上の操作の全ての過程の任意の時点でフィンガー・スポット上で指紋の認証を可能とする。
【００７９】
以上により、本発明では、画面上の任意の時点の任意の画面オブジェクトに対する指紋による本人認証や識別を可能とする。
【００８０】
［システム構成］
以下、このような基本的特徴を具現化するための、本システムの構成について説明する。
【００８１】
［システム構成―認証装置１００］
まず、認証装置１００の構成について説明する。
図６は、本発明が適用される認証装置１００の構成の一例を示すブロック図であり、該構成のうち本発明に関係する部分のみを概念的に示している。図６において認証装置１００は、概略的に、表示オブジェクトを出力し、かつ利用者の指紋パターンや利用者の指の動作を感知するイメージキャプチャー機能付きディスプレイ部４０、認証装置１００の全体を統括的に制御するＣＰＵ等の制御部１０２、外部装置２００と各種の無線または有線の通信手段を用いて通信を行う通信部１０８、通信部１０８に接続される通信制御インターフェース部１０４、各種のデータベース（認証情報データベース１０６ａ〜動作情報データベース１０６ｂ）などを格納する記憶部１０６、および、イメージキャプチャー機能付きディスプレイ部４０や各種の入出力装置に接続される入出力制御インターフェース部１１０を備えて構成されており、これら各部は任意の通信路を介して通信可能に接続されている。さらに、この認証装置１００は、通信部１０８を介して、ネットワーク３００に通信可能に接続されている。
【００８２】
記憶部１０６に格納される各種のデータベース（認証情報データベース１０６ａ〜動作情報データベース１０６ｂ）は、固定ディスク装置等のストレージ手段であり、各種処理やウェブサイト提供に用いる各種のプログラムやテーブルやファイルやデータベースやウェブページ用ファイル等を格納する。
【００８３】
これら記憶部１０６の各構成要素のうち、認証情報データベース１０６ａは、利用者の指紋に関する認証情報を格納する認証情報格納手段である。図７は、認証情報データベース１０６ａに格納される認証情報の一例を示す図である。
【００８４】
この認証情報データベース１０６ａに格納される情報は、図７に示すように、各利用者を一意に識別するための利用者ＩＤ、各利用者の指紋パターン情報などを相互に関連付けて構成されている。
【００８５】
ここで、指紋パターン情報は、例えば、指紋の画像データや、その画像データについて動的計画法（ＤＰ法）や隠れマルコフモデル（ＨＭＭ）などの既存のパターン解析技術を用いて解析して抽出した指紋の特徴に関する情報などである。また、指紋パターン情報には、画像データ、テキストファイル、動画ファイル等が含まれてもよい。
【００８６】
また、動作情報データベース１０６ｂは、動作パターン情報に対応する命令情報を格納する命令情報格納手段である。図８は、動作情報データベース１０６ｂに格納される情報の一例を示す図である。
【００８７】
この動作情報データベース１０６ｂに格納される情報は、図８に示すように、利用者を一意に識別するための利用者ＩＤ、利用者の指の動作のパターンに関する動作パターン情報、実行される命令情報等を相互に関連付けて構成されている。
【００８８】
ここで、動作パターン情報は、例えば、動作パターンの座標データや、その座標データについて動的計画法（ＤＰ法）や隠れマルコフモデル（ＨＭＭ）などの既存のパターン解析技術を用いて解析して抽出した指の動作の特徴に関する情報などである。また、動作パターン情報には、画像データ、テキストファイル、動画ファイル等が含まれてもよい。
【００８９】
また、図６において、通信制御インターフェース部１０４は、認証装置１００とネットワーク３００（またはルータ等の通信装置）との間における通信制御を行う。すなわち、通信制御インターフェース部１０４は、外部装置２００や他の端末と通信回線を介してデータを通信する機能を有する。
【００９０】
また、図６において、入出力制御インターフェース部１１０は、イメージキャプチャー機能付きディスプレイ部４０、他の入力装置や出力装置の制御を行う。ここで、出力装置としては、モニタ（家庭用テレビを含む）の他、スピーカを用いることができる（なお、以下においては出力装置をモニタとして記載する）。また、入力装置としては、キーボード、マウス、および、マイク等を用いることができる。また、モニタも、マウスと協働してポインティングデバイス機能を実現する。
【００９１】
また、図６において、イメージキャプチャー機能付きディスプレイ部４０は、発光素子により各種のメニューやボタンなどの表示機能を持つ表示部１０と、受光素子により利用者の指紋パターンを感知する指紋パターン感知機能および利用者の指の動作を感知する動作感知機能とを備えるイメージキャプチャー部２０と、を備えて構成される。
【００９２】
また、図６において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、認識アルゴリズム部１０２ａ、命令情報実行部１０２ｂ、動作モード管理部１０２ｃ、フィンガー・スポット認識部１０２ｆ、および、フィンガー・カーソル表示制御部１０２ｇを備えて構成されている。
【００９３】
このうち、認識アルゴリズム部１０２ａは、指紋感知手段にて感知した指紋パターンが予め登録された利用者の指紋パターン情報と一致するか認証し、また、動作感知手段にて感知した動作が予め登録された動作パターン情報と一致するか識別する。図９は、認識アルゴリズム部１０２ａの構成の一例を示すブロック図である。ここで、認識アルゴリズム部１０２ａは、図９に示すように、指紋認証部１０２ｄと動作識別部１０２ｅとを含んで構成される。
【００９４】
図９の指紋認証部１０２ｄは、指紋感知手段にて感知した指紋パターンが予め登録された利用者の指紋パターン情報と一致するか認証する指紋認証手段である。
【００９５】
ここで、指紋認証部１０２ｄは、例えば、動的計画法（ＤＰ法）や隠れマルコフモデル（ＨＭＭ）などの既存のパターン解析技術を用いて感知した指紋パターンを解析して特徴を抽出し、その特徴を認証情報データベース１０６ａに予め登録された指紋パターン情報と比較して、指紋を認識する。
【００９６】
また、動作識別部１０２ｅは、動作感知手段にて感知した動作が予め登録された動作パターン情報と一致するか識別する動作識別手段である。
【００９７】
ここで、動作識別部１０２ｅは、例えば、動的計画法（ＤＰ法）や隠れマルコフモデル（ＨＭＭ）などの既存のパターン解析技術を用いて感知した動作パターンを解析して特徴を抽出し、その特徴を動作情報データベース１０６ｂに予め登録された動作パターン情報と比較して、動作を認識する。
【００９８】
再び図６に戻り、命令情報実行部１０２ｂは、動作識別手段により認識された動作パターン情報に対応する前記命令情報を検索する命令情報検索手段であり、また、命令情報検索手段にて検索された命令情報を実行する命令情報実行手段である。
【００９９】
また、動作モード管理部１０２ｃは、認証装置１００の各種の動作モードを管理する動作モード管理手段である。
【０１００】
また、フィンガー・スポット認識部１０２ｆは、利用者の指が感知された領域であるフィンガー・スポットを認識するフィンガー・スポット認識手段である。
【０１０１】
また、フィンガー・カーソル表示制御部１０２ｇは、フィンガー・スポット認識手段により認識されたフィンガー・スポットから予め定めた距離の位置にフィンガー・カーソルを表示するフィンガー・カーソル表示手段である。
【０１０２】
なお、これら各部によって行なわれる処理の詳細については、後述する。
【０１０３】
［システム構成−ネットワーク３００］
次に、ネットワーク３００の構成について説明する。ネットワーク３００は、認証装置１００と外部装置２００とを相互に接続する機能を有し、例えば、無線ＬＡＮやＢｌｕｅｔｏｏｔｈや公衆電話網やインターネット等である。
【０１０４】
［システムの処理］
次に、このように構成された本実施の形態における本システムの処理の一例について、以下に図１０〜図３４などを参照して詳細に説明する。
【０１０５】
図１０は、認証装置１００による画面表示と利用者の指示の受け取りの処理の一例を示す概念図である。上記の液晶デバイスの表示・入力装置であるイメージキャプチャー機能付きディスプレイ部４０を用いると、外部装置２００であるコンピュータや装置側から表示を行い、それに対して認証装置１００の操作者が答えを返す対話方式が実現する。
【０１０６】
まず、認証装置１００は、制御部１０２の処理により、外部装置３００（コンピュータ）側より受信したメニューやボタンなどを表示する（ステップＳＡ−１）。
【０１０７】
ついで、利用者は、イメージキャプチャー機能付きディスプレイ部４０の画面にタッチすることによって選択を行う（ステップＳＡ−２）。これは、これまでのマウスやタッチパッドなどのポインティングデバイスに比べて、指で画面を押すだけのため自然でなじみやすく、親和性がある。
【０１０８】
認証装置１００のフィンガー・スポット認識部１０２ｆは、イメージキャプチャー機能付きディスプレイ部４０のイメージキャプチャー部２０を介して、利用者の指がタッチされた場所を感知することができ、メニューやボタンの表示位置と照合することによって、利用者の選択内容を取り込むことができる。それと同時に、指紋認識部１０２ｄは、感知された指紋パターンの認証を行う（ステップＳＡ−３）。また、動作識別部１０２ｅは、感知した動作が予め動作情報データベース１０６ｂに登録された動作パターン情報と一致するか識別する。
【０１０９】
そして、命令情報実行部１０２ｂは、その利用者に許された操作や選択であれば、許可信号を通信部１０８を介して外部装置２００に送信する（ステップＳＡ−４）。一方、命令情報実行部１０２ｂは、否認された場合は、拒否信号を通信部１０８を介して外部装置２００に送信する。
【０１１０】
図１１は、認証装置１００による画面表示と利用者の指示の受け取りの処理の別の一例を示す概念図である。
【０１１１】
まず、認証装置１００は、制御部１０２の処理により、外部装置３００（コンピュータ）側より受信したメニューやボタンなどの表示オブジェクト３０をイメージキャプチャー機能付きディスプレイ部４０に表示する（ステップＳＢ−１）。
【０１１２】
ついで、利用者は、イメージキャプチャー機能付きディスプレイ部４０の画面にタッチすることによって選択を行う（ステップＳＢ−２）。
【０１１３】
認証装置１００のフィンガー・スポット認識部１０２ｆは、イメージキャプチャー機能付きディスプレイ部４０のイメージキャプチャー部２０を介して、指がタッチされた場所と指紋パターンを感知すると（ステップＳＢ−３）、動作識別部１０２ｅはメニューやボタンの表示位置と照合することによって、利用者の動作識別を行う。それと同時に、指紋認識部１０２ｄは、感知された指紋パターンの認証を行う（ステップＳＢ−４）。
【０１１４】
そして、命令情報実行部１０２ｂは、その利用者に許された操作や選択であれば、許可信号を通信部１０８を介して外部装置２００に送信する。一方、命令情報実行部１０２ｂは、否認された場合は、拒否信号を通信部１０８を介して外部装置２００に送信する。
【０１１５】
［利用者の指の動作の概念］
次に、利用者の指の動作の概念の詳細について図１３などを参照して説明する。図１３は、本実施形態における本システムの利用者の指の動作の概念の一例を示す図である。
【０１１６】
動作識別部１０２ｅは、イメージキャプチャー機能付きディスプレイ部４０のイメージキャプチャー部２０を介して利用者の指の動きを感知することができ、指の水平方向の動きや傾きを認識する。
【０１１７】
これによって、利用者がスイッチを垂直方向に押下する以外に、上、下、左、右などの方向の入力ができる。これは、机上でマウスを移動する動作を代替するものである。
【０１１８】
また、動作識別部１０２ｅは、イメージキャプチャー機能付きディスプレイ部４０のイメージキャプチャー部２０を介して指の接触を感知することができ、指の認識面へのタッチとデタッチを認識することができる。これは、マウスボタンを用いるクリック、ダブルクリックを代替する。
【０１１９】
また、一般的にパスワードは文字や数字で表すが、イメージキャプチャー機能付きディスプレイ部４０上の一連の利用者の指のローリング操作でそれを代替することができる。これにより、単一の認識ボタンでも指紋認証に加えて一連の指の動作からなるパスワードを付加した強固なセキュリティーを確保できる。
【０１２０】
また、動作パターン（モーションシーケンスとも呼ぶ）はセキュリティーの強度を上げるだけでなく、方向に関係付けた操作を外部装置に指示するためにも利用できる。例えば、対象の外部装置の設定値を段階的に上たり、下げたり、あるいはロボットアームなどの動作方向を示したりするなどの用途がある。
【０１２１】
また、利用者がイメージキャプチャー機能付きディスプレイ部４０に入力したモーションシーケンスは、外部装置の何らかの特定の機能に結びつけられるようにしてもよい。
【０１２２】
例えば、図１３に示す動作パターンでは、上方向、クリック４回、左方向  のモーションシーケンスを後述する特権モード移行のコマンドとして登録している。こうしたモーションシーケンスの応用を実現するために、モーションシーケンスをイメージキャプチャー機能付きディスプレイ部４０から入力できると共に、記憶部１０６の動作情報データベース１０６ｂに記憶させることができ、かつ必要であれば外部に送信して保存できる。
【０１２３】
本システムでは、指紋による本人認証に加えてモーションシーケンスを用いることによって、本来の認識ボタンの機能範囲を超えて、１つの認識ボタンに複数の意味や機能をもたせることが可能になる。これにより、単独の認識ボタンであっても、許された人あるいは本人だけが利用できる、複数のセキュリティーレベルの設定や切り替え、あるいは複雑な機器の制御などが可能になる。
【０１２４】
［動作モードの管理］
次に、動作モードの管理の詳細について図１４および図１５などを参照して説明する。図１４は、本実施形態における本システムの動作モードの移行の一例を示す図である。
【０１２５】
本装置による一般利用者が利用する際の指紋の認証機能には、常に認証を行う認証モードと、認証を行わない非認証モードがあり、それを特権モードの操作で切り替えられるようにする。
【０１２６】
認証モードではイメージキャプチャー機能付きディスプレイ部４０は常に上に置かれた、あるいは押下した指の指紋を読み取り、予め登録された本人の指紋であるか否かを識別する。一方、非認証モードでは、認識ボタンは指紋の認証を行わず、常に本人であると解釈する。認証モードの切り替えは、いったん特権モードに移行してから行う。
【０１２７】
また、この認証装置１００には特権モードと利用者モードがあり、それぞれのモードでは以下の機能が実行できる。
【０１２８】
まず、特権モードでは、新規に真正な指紋を登録したり、これまでの登録済み指紋を抹消したり、モーションシーケンスを登録したりすることができる。また、特権モードから認証利用者モードへ移行したり、あるいは非認証モードへ移行したりすることができる。
【０１２９】
次に、認証利用者モードでは、特権モードから認証利用者モードに移行できたり、全ての、あるいはアプリケーションが指示した、利用者モードの操作に対して指紋認証を行ったりすることができる。
【０１３０】
次に、非認証利用者モードでは、特権モードから非認証利用者モードに移行できたり、全ての利用者モードにおける操作が認証なしで自由に操作したりすることができる。
【０１３１】
ここで、「操作」とは、各種のボタンの押下、指のローリング、クリック、メニュー選択、ペン入力などの操作で利用者が行うことができるあらゆる物を指す。
【０１３２】
また、図１５は、本実施形態における認証装置１００の動作モード管理部１０２ｃにより実行される動作モードの移行処理の一例を示すフローチャートである。
【０１３３】
利用者モードから特権モードへの移行は、予め利用者が定めたモーションシーケンスを入力することによって行う。従ってデバイスは、利用者の指のアクションを常に監視して、モーションメモリの内容と照合し、一致した場合に特権モードに移行する。
【０１３４】
まず、初期設定を行う特許モードになる（ステップＳＣ−１）。
【０１３５】
次に、特権モードで許される操作等を実行する（ステップＳＣ−２）。
【０１３６】
次に、ボタンあるいはメニューからモーションシーケンス登録を選択し、一連の指の動作を入力する（ステップＳＣ−３）。
【０１３７】
次に、フィンガーアクション（移行のコマンド）をモーションメモリである動作情報データベース１０６ｂに登録する（ステップＳＣ−４）。
【０１３８】
次に、利用者モードへの移行を選択するためのボタンを押下あるいは移動メニューを選択する（ステップＳＣ−５）。
【０１３９】
利用者モードへ移行すると、利用者モードの操作（ステップＳＣ−７）を行い、またフィンガーアクション監視によりモーションメモリと照合を行い、モーションメモリ内容と指の動作が一致する場合には（ステップＳＣ−８）、特権モードへ移行し（ステップＳＣ−１０）、また、モーションメモリ内容と指の動作が不一致の場合には（ステップＳＣ−９）、利用者モードを続行する（ステップＳＣ−６）。
【０１４０】
［認識装置１００を操作対象物に設置した場合］
次に、認識ボタンを操作対象物に設置する場合の詳細について図１６〜図１９などを参照して説明する。図１６および図１７は、本実施形態における本システムの認識ボタンを操作対象物に設置する場合の一例を示す図である。
【０１４１】
図１６および図１７に示すように、１つまたは複数の認識装置１００を外部装置２００の操作盤上に配置する。その操作盤を動作を制限したい対象物に取り付け、許された人間に対してのみ選択的な操作を許す。
【０１４２】
例としては、閉錠・開錠（家屋、倉庫、車、その他薬品、危険物保管庫等）、コンピュータの起動や、アプリケーションの起動、機器の操作、薬品や危険物の管理庫、金融機関のＡＴＭその他などがあるが、これ以外の全ての用途を制約しない。
【０１４３】
次に図１８は、認識ボタンを操作対象物に設置する場合の基本構成を示す概念図である。外部装置におけるデータベースなどの実装方式はいかなるものであってもよい。
【０１４４】
図１８に示すように、門扉や販売機や装置などに取り付けられた認識ボタンからは、認証結果あるいはモーションシーケンスから生成されたＰＩＮ（Ｐｅｒｓｏｎａｌ  Ｉｄｅｎｔｉｆｉｃａｔｉｏｎ  Ｎｕｍｂｅｒ）が生成される。ＰＩＮは必ずしもＰＩＮそのものとは限らず、時刻などと組み合わせて暗号化した仮想ＰＩＮや証明局から発行された電子証明書が付されていてもかまわない。あるいは、ＰＩＮではなくＰＫＩと連携させた鍵を発行してもかまわない。以下この指紋から生成されるユニークなコードの総称としてＰＩＮと記述する。
【０１４５】
一方、外部装置２００側にはコンピュータやデータベースからなる照合装置が装備され、予め受け入れを認める指紋に対応するＰＩＮや鍵をデータベースに保存しておく。認証装置１００による指紋の認識結果によって生成されたＰＩＮと照合装置のデータベース中のＰＩＮが照合装置で照合され、合致すれば要求の受け入れとなり、一致するものが無い場合は拒否となる。
【０１４６】
次に、図１９は、認識装置１００を操作対象物である外部装置２００に設置する場合の別の構成を示す概念図である。この構成は、利用者が持参する携帯機器やカードなどが本人のものであるかどうかを識別し、盗難や紛失による不正使用を阻止するものである。
【０１４７】
まず、別の認識装置を用いて、指紋から本人のＰＩＮコードを算出する（ステップＳＤ−１）。
【０１４８】
そして、本人が占有する携帯電話、カードなどの携帯可能な機器のメモリにＰＩＮコードを記憶させる（ステップＳＤ−２）。装置は、パスポート、航空券などの紙媒体に埋め込んだＩＣタグなどであってもよい。
【０１４９】
そして、本人が、認証が必要な場所に上記の携帯機器を持参して（ステップＳＤ−３）、外部装置２００側に設置された認証装置１００の該当のボタンを押す（ステップＳＤ−４）。必要であれば指のモーションを入力すると、認識結果としてＰＩＮを発生する。
【０１５０】
そして、外部装置２００からカードや携帯電話に対してＰＩＮ読み出しの信号が送られ、カードや携帯電話に記憶されたＰＩＮが外部装置２００に対して送り出される（ステップＳＤ−３）。
【０１５１】
外部装置２００側では先に認識結果として認証装置１００が生成したＰＩＮと、外部から受け取ったＰＩＮを照合して（ステップＳＤ−５）、カードや携帯電話の持参人が本人である認証を行い、両者が一致すれば受け入れ（ステップＳＤ−６）、不一致であれば拒否となる（ステップＳＤ−７）。
【０１５２】
［利用者を特定する遠隔操作装置に実装した場合］
次に、本実施形態における本認証装置を遠隔操作装置に実装した場合の詳細について図２０から図２２などを参照して説明する。図２０から図２２は、本実施形態における本認証装置を遠隔操作装置に実装した場合の一例を示す図である。
【０１５３】
図２０に示すように、テレビや空調のリモートコントロールボックス様の機器あるいは携帯電話機またはＰＤＡなどの携帯情報機器などに認証装置１００を設置する。これにより特定の人にしかメニューなどの画面操作ができない、あるいは操作した人が特定できる携帯可能な遠隔操作装置が成立する。これにより、本人が本人用の遠隔操作装置を所持する場合のみ、対象物に対して操作を指示できる。
【０１５４】
本装置を所持する本人は、本人に許された動作、例えば、閉錠・開錠、車のエンジンの始動・停止、コンピュータの起動など、本人を認証し、操作内容を本人の権限内に限定でき、かつその範囲内において、あらゆる種類の遠隔操作が可能となる。
【０１５５】
この遠隔操作には機器等を操作すること以外に自動販売機からの購入やチケット購入などに必要な操作も含む。装置は小型化によってカード状の形状とすることも可能である。
【０１５６】
また図２１に示すように、この遠隔操作装置は、対象物を限定しない万能キーとして実現することができ、有線、無線、赤外線などを通じて操作対象の機器とコミュニケーションして、操作者の意志を外部装置に反映するができる。
【０１５７】
本操作機器と対象機器のインターフェースを統一することにより複数の対象を操作できる汎用の遠隔操作装置になる。
【０１５８】
これは、所持者からみると真正の本人であることを証明する万能キーのような役割を果たし、認証装置１００を備えた遠隔操作装置さえもっていれば、アクセスが許されているいかなる対象に対しても所有者の意思を送り出すことができる。
【０１５９】
これはいわば所有者と利用者が同一であることを常に保証する電子印鑑付きのリモコンのようなもので、これとインターフェースが取れる機器であれば、本人からの指示であることを保証される。ここで用いる通信手段は十分に安全で秘匿性が高い手段を選択する。
【０１６０】
また、必要であれば、両者間で交換されるメッセージに電子署名などを含めることによってより、完全な認証にすることもできる。
【０１６１】
また、図２２に示すように、万能キーとして機能する本認証装置を備えた遠隔操作装置は様々な媒体に組み込むことが可能であり、例えば、カード、ＰＤＡ、携帯電話などに組み込むことができる。
【０１６２】
［本認証装置を個人特定センサーとして実現する場合］
次に、本認証装置を個人特定センサーとして実現する場合の詳細について図２３を参照して説明する。図２３は、本実施形態における本システムの本認証装置を個人特定センサーとして実現する場合の一例を示す図である。
【０１６３】
万能キーとして機能する本認証装置を備えた遠隔操作装置からの信号を受け取る側を中心にして見ると、その対象に対して興味を持っている人が、対象に向けて万能キーを押下することは、対象物に対してその人が興味を持っていることを表している。
【０１６４】
従って、万能キーの受信装置（個人特定センサー）をポスター、ショウウィンドウやマネキンに付けたタグなど様々な場所や対象に設置することによって、興味を持つ人間を特定できる人間センサーとして利用できる。
【０１６５】
図２３は、個人特定センサーを用いた個人顧客に対する特別な情報や催し物などを伝える応用例を示す図である。
【０１６６】
携帯型の万能キーを持ちセンサーが設置された対象に向かって認識ボタンを押下する。
【０１６７】
すると、個人を示すＩＤなどが、万能キーから個人特定センサーに送られる。これにより誰が、どこにある、何に、いつ、興味を示したかが把握できる。
【０１６８】
さらに、個人特定センサーからＰＩＮなどのＩＤ情報などを顧客管理システムに送り、購入履歴などでランキングされた特別価格や優待情報など、特定顧客向けの特別な情報を万能キーに返すことができる。
【０１６９】
また、万能キーの所有者は表示画面などを通じてその内容を知ることができる。これにより、特定個人を対象とする個別的なワン−ツー−ワン・マーケティングやセールス活動が可能になる。
【０１７０】
さらに、双方向的な通信を利用して、商品やサービスに対して複数の万能キー所有者が値を付け、その中の最高価格で落札するオークションなども可能である。本発明の範囲は、提示の例に限定されず他の応用例に対しても適用されるものである。
【０１７１】
［本認証装置を他の外部装置と連携する場合］
次に、本認証装置を他の外部装置と遠距離あるいは異次元情報の連携をする場合の詳細について図２４および図２５などを参照して説明する。図２４および図２５は、本実施形態における本システムの本認証装置を他の外部装置と連携する場合の一例を示す図である。
【０１７２】
近接した対象でない場合、携帯電話やＰＤＡなどの無線接続が可能なモバイル機器と万能キーを一体化することによって、機器が持つ通信機能と連動させ、遠隔対象との情報交換も可能とする。遠隔対象には電話回線の延長上に接続されたインターネットのサービスの利用も含む。
【０１７３】
万能キーとして機能する本認証装置を備えた遠隔操作装置は、それ自体単独で構成されてもかまわないが、携帯電話やＰＤＡなどの無線接続が可能なモバイル機器と一体化することができる（図２４参照）。それによって機器が持つ通信機能と連動させ、遠隔対象との情報交換も可能とする。遠隔対象には電話回線の延長上に接続されたインターネットサービスの利用も含む。
【０１７４】
これにより、目の前にある販売機など対象物に対する操作と、広域的な情報を管理しているネット系の情報システムを連携することが可能となる。
【０１７５】
対象物は本人確認の信号を受けて動作するだけでなく、キャッシュレジスタのような機器が、交信によって口座番号やカード情報や電話番号などを受け取って、リアルタイムに決済を実行するような構成も可能である。また、安全確実に商品の購入代金やサービスの利用料金を本人の電話利用料金の請求に含めることもできる。例えば、自動販売機からの購入で、品切れの場合いちばん近くの自動販売機をネットで見つけるなどのサービスを実現することができる。
【０１７６】
また、先のオークションのような応用では、個人特定センサーが設置されたポスター、掲示板あるいは、ショウウィンドウなど介して公開された購買条件に対して、複数の提供者が、それぞれの万能キーを使って価格などの販売条件を個人特定センサーに対して提示する逆オークションの実現も可能である。
【０１７７】
図２５は、認証装置１００と他の装置との連携の一例を示す模式図である。図２５に示す構成は、本人性を保証する中継装置が近傍にある装置と電話回線とインターネットの先につながるコンピュータアプリケーションを連携させる構成とも言える。
【０１７８】
また、本認証装置１００は移動可能な車に設置し、それと携帯電話が連携するような利用形式も構成できる。本考案は、例示に限定されず、他の応用と構成にも適用される。
【０１７９】
［本認証装置をハードキーとして実現する場合］
次に、本認証装置をハードキーとして実現する場合の詳細について図２６などを参照して説明する。図２６は、本実施形態における本システムの本認証装置をハードキーとして実現する場合の一例を示す図である。
【０１８０】
現在本人を認証するハードキーが各種開発されている。そのようなハードキーは、コンピュータのＵＳＢ（Ｕｎｉｖｅｒｓａｌ  Ｓｅｒｉａｌ  Ｂｕｓ）ポートや携帯電話の下部に挿入でき、ハードキーが挿入されていると本人が利用しているとみなし、コンピュータへログインでき暗号化された通信文から平文への復号などが行われる。
【０１８１】
また携帯電話ではＵＩＭ（Ｕｎｉｖｅｒｓａｌ  Ｉｄｅｎｔｉｔｙ  Ｍｏｄｕｌｅ）が実用化されている。ＵＩＭには暗号化された電話番号、利用者ＩＤなどが収められ、電話機などの本体に挿入すると所有者本人が利用しているものとみなし、所定の電話番号で利用できるようになる。また、ＵＩＭは電話機本体から取り外すことができ、別の電話機に取り付けることができる。
【０１８２】
このようなハードキーは、本人が所有し利用している限りでは問題ないが、紛失したり、盗難、貸与などによって他人が利用できてしまう。つまり、ハードキーやＵＩＭだけでは、他人のなりすましを防ぐことができない。
【０１８３】
図２６に示すように、ハードウエアキーに認証装置１００を付加することにより、本人以外がハードキーを利用する危険を排除することができる。これにより、携帯機器の安全性が増し、企業における高額の取引や決済などが安全にできるようになる。
【０１８４】
そのためには、認証装置と対象のパソコンや機器類間の認証に関するインターフェースが共通でなければならない。それには、無線、有線を問わず物理的な規格の統一と、アプリケーションと結びつけるための中間のミドルウエアのソフトウエア的なインターフェースの統一が必須である。図２６は、そうした統一の後の個人認証装置の役割である。認証装置１００は、あらゆる対象に対して、所持者が所有者本人であることを証明する。
【０１８５】
機器、ＰＤＡ、携帯電話、情報家電機器、カードあるいはハードキーなどは自由に組み合わせることが可能で、その場合でも認証装置１００の有効性は変わらない。
【０１８６】
また、認証装置１００を携帯電話、レジスタやコンピュータあるいは自動車など装置側に設置して、個人認識ハードウエア側から送り出されるＰＩＮと装置に設置された表示・入力指紋認証装置から得られるＰＩＮとの照合を行う構成であってもかまわない。
【０１８７】
現行のハードキーは物理的に挿入できるソケットとして実装されているが、無線、赤外線など無線的な通信手段で実現されていてもよい。
【０１８８】
［本認証装置をプリペイドカードやスマートカード等として実現する場合］
次に、本認証装置をプリペイドカードやスマートカード等として実現する場合の詳細について説明する。
【０１８９】
本発明の認証装置１００を、プリペイドカードやスマートカードなど現金の代替となる財が蓄積できるカードに設置することによって、カードの利用者が所有者本人であることを特定できるようになる。
【０１９０】
また、物品やサービスの購入時に、代金をカードから安全に引き落とすことができる。
【０１９１】
また同様に、認証装置１００はカード読取装置側に設置して、カード側から送出されるＰＩＮと読取装置に設置した認識ボタンから得られるＰＩＮとの照合を行う構成であってもよい。
【０１９２】
また、カードは接触式、非接触式であるかは問わない。
【０１９３】
［本認証装置をバーコードディスプレイおよびバーコードリーダ等として実現する場合］
次に、本認証装置をバーコードディスプレイおよびバーコードリーダ等として実現する場合の詳細について図２７から図３４、図３６から図３９などを参照して以下に説明する。
【０１９４】
現在、ＪＡＮコードなどの通常の印刷バーコードに加えて、ＱＲコード、ＭａｘｉＣｏｄｅ，ＤａｔａＭａｔｒｉｘ，ＰＤＦ４１７などの２次元バーコード、液晶表示装置などを通じてのみ利用できるアクティブ・バー・コードなどが開発されている。
【０１９５】
２次元コードやアクティブコードは、携帯電話やＰＤＡなどの携帯可能な情報機器と組み合わせて電話回線やインターネットで配信する用途で使われることが多い。
【０１９６】
本発明の認証装置１００のイメージキャプチャー機能付きディスプレイ部４０は、表示部１０の画面表示機能を利用して通常のバーコードや２次元バーコードおよびアクティブ・バー・コードの表示を行うことができる。また、イメージキャプチャー部２０は、画面入力機能を利用することによって、それ自体でバーコードリーダとして機能できる。
【０１９７】
特に、アクティブ・バー・コードのように、動的に複数のコードを表示して、リーダ側で再構成することによって完全なコードを再現する方式では、本発明の認証装置１００のイメージキャプチャー機能付きディスプレイ部４０を用いて構成したアクティブ・バーコード・リーダは、携帯電話などの組み合わせにより移動が可能で簡便なシステムになる。
【０１９８】
図２７および図２８を用いて、本発明の認証装置１００のイメージキャプチャー機能付きディスプレイ部４０を用いて構成したバーコードディスプレイおよびアクティブ・バーコード・リーダの概要を示す。
【０１９９】
図２７は、本発明の認証装置１００のイメージキャプチャー機能付きディスプレイ部４０を用いて構成したバーコードディスプレイの概要を示す図である。また、図２８は、本発明の認証装置１００のイメージキャプチャー機能付きディスプレイ部４０を用いて構成したアクティブ・バーコード・リーダの概要を示す図である。
【０２００】
図２７および図２８に示すように、バーコードの出力や取り込みにおいても、並行的に認証装置１００と組み合わせて本人認証を行うこともできる。
【０２０１】
また、図２９から図３１は、本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【０２０２】
認証装置１００を装備した携帯情報機器は、通常の機器に比べて通信の便を考慮してより柔軟な構造とし、一般には１８０度の開閉角度を３６０度とすることにより、特に表示面を裏面まで広げられる構造とする（図３０および図３１参照）。
【０２０３】
また、図３６から図３８は、本発明の認証装置１００のイメージキャプチャー機能付きディスプレイ部４０を用いて構成したバーコードディスプレイおよびアクティブ・バーコード・リーダを携帯情報機器に適用した場合の別の一例の概要を示す図である。
【０２０４】
この例においては、認証装置１００を装備した携帯情報機器は、操作面および表示面ともにイメージキャプチャー機能付きディスプレイ部４０を用いることにより、操作時の指紋認証および動作識別と、バーコード表示による簡易通信機能とを同時に行うことができるようになる。
【０２０５】
また、通常の機器に比べて通信の便を考慮してより柔軟な構造とし、一般には１８０度の開閉角度を３６０度とすることにより、特に表示面を裏面まで広げられる構造とする（図３７および図３８参照）。
【０２０６】
また、図３２から図３４および図３９は、本発明の認証装置１００のイメージキャプチャー機能付きディスプレイ部４０を用いて構成したバーコードディスプレイおよびアクティブ・バーコード・リーダを携帯情報機器に適用した場合の利点を示す図である。
【０２０７】
図３２および図３９に示す柔軟構造の携帯情報機器では、各種のバーコードスキャナとしてモバイル環境で印刷や、物品（商品）に張られたバーコードを読み込むことが容易にでき、店舗のＰＯＳ端末やキャッシュレジスタ装置と連携をとることができる。
【０２０８】
また、図３３に示すように、こうした構造を持つ複数の携帯情報機器の間では、バーコードを介して直接情報化交換が可能になる。これは、全く新しい情報伝達の方式である。
【０２０９】
以上を総合的に活用すると、現金、カードなどの支払いなどの決済や承認など本人であることの証明などが間違いなくできる携帯情報機器やＡＴＭやＰＯＳなどのお金の出しれを行う機器に対して新たなソリューションを提供できる。
【０２１０】
つまり、液晶画面表示・入力装置によって、操作に必要な全てのスイッチやボタンなどの全てを、画面上で利用者が該当箇所を指で指したり、それを動かすことによって代替できる。さらにその全ての操作を通じて、同時に裏で行われる指紋認証によって、間違いなく本人が操作したものであることを証明できる。すなわち、図３４に示すように、セキュアーなキーレス携帯情報機器を実現することができるようになる。
【０２１１】
また、表面的には画面上で機器の操作を行うだけであり、利用者には裏で行われる指紋認証を全く意識させない点も大きな利点である。
【０２１２】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０２１３】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０２１４】
この他、上記文書中や図面中で示した処理手順、制御手順、具体的名称、各種の登録データや検索条件等のパラメータを含む情報、画面例、データベース構成については、特記する場合を除いて任意に変更することができる。
【０２１５】
また、認証装置１００に関して、図示の各構成要素は機能概念的なものであり、必ずしも物理的に図示の如く構成されていることを要しない。
【０２１６】
例えば、認証装置１００の各サーバが備える処理機能、特に制御部にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて認証装置１００に機械的に読み取られる。
【０２１７】
また、認証装置１００は、さらなる構成要素として、マウス等の各種ポインティングデバイスやキーボードやイメージスキャナやデジタイザ等から成る入力装置（図示せず）、入力データのモニタに用いる表示装置（図示せず）、システムクロックを発生させるクロック発生部（図示せず）、および、各種処理結果その他のデータを出力するプリンタ等の出力装置（図示せず）を備えてもよく、また、入力装置、表示装置および出力装置は、それぞれ入出力制御インターフェース部１１０を介して制御部１０２に接続されてもよい。
【０２１８】
記憶部１０６に格納される各種のデータベース等（認証情報データベース１０６ａ〜動作情報データベース１０６ｂ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０２１９】
また、認証装置１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０２２０】
さらに、認証装置１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０２２１】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０２２２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２２３】
また、ネットワーク３００は、認証装置１００と外部装置２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ―Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０２２４】
【発明の効果】
以上詳細に説明したように、本発明によれば、イメージキャプチャー機能付ディスプレイにより利用者の指紋パターンを感知し、感知した指紋パターンが予め登録された利用者の指紋パターン情報と一致するか認識し、イメージキャプチャー機能付ディスプレイにより利用者の指の動作を感知し、感知した動作が予め登録された動作パターン情報と一致するか認識するので、イメージキャプチャー機能付ディスプレイを用いた指紋による本人認証と動作による認証とを併用することによりセキュリティーを高めることができるようになり、また、認証後に使用する外部装置等への命令等を同時に入力することができる個人認証システム、認証装置、個人認証方法、プログラム、および、記録媒体を提供することができる。
【０２２５】
また、本発明によれば利用者の指が感知された領域であるフィンガー・スポットを認識し、認識されたフィンガー・スポットから予め定めた距離の位置にフィンガー・カーソルを表示するので、マウスなどのようにピンポイント的な入力位置の指示や、細かな入力位置の指示ができる個人認証システム、認証装置、個人認証方法、プログラム、および、記録媒体を提供することができる。
【０２２６】
また、本発明によれば、認証装置は、利用者の動作パターン情報に対応する命令情報を格納し、認識された動作パターン情報に対応する命令情報を検索するので、本人認証後の外部装置の操作等を一連の動作にて指定することができる個人認証システム、認証装置、個人認証方法、プログラム、および、記録媒体を提供することができる。
【０２２７】
また、本発明によれば、認証装置は、検索された命令情報を実行するので、特権モードから利用者モードへの移行などの各種の命令情報を指定した動作により実行することができる個人認証システム、認証装置、個人認証方法、プログラム、および、記録媒体を提供することができる。
【０２２８】
また、本発明によれば、認証装置は、検索された命令情報を外部装置に送信するので、外部装置に対する各種の命令情報を指定した動作により送信することができる個人認証システム、認証装置、個人認証方法、プログラム、および、記録媒体を提供することができる。
【図面の簡単な説明】
【図１】本システムの全体構成の一例を示すブロック図である。
【図２】本発明のイメージキャプチャー機能付きディスプレイ部４０の基本原理を説明するための概念図である。
【図３】指の動作に連動したカーソル移動とクリッキッグの概念を説明する図である。
【図４】認証装置１００のイメージキャプチャー機能付きディスプレイ部４０にメニュー画面を表示する場合の一例を示す図である。
【図５】認証装置１００のイメージキャプチャー機能付きディスプレイ部４０にメニュー画面を表示する場合の別の一例を示す図である。
【図６】本発明が適用される認証装置１００の構成の一例を示すブロック図である。
【図７】認証情報データベース１０６ａに格納される認証情報の一例を示す図である。
【図８】動作情報データベース１０６ｂに格納される情報の一例を示す図である。
【図９】認識アルゴリズム部１０２ａの構成の一例を示すブロック図である。
【図１０】認証装置１００による画面表示と利用者の指示の受け取りの処理の一例を示す概念図である。
【図１１】認証装置１００による画面表示と利用者の指示の受け取りの処理の別の一例を示す概念図である。
【図１２】本発明の別のシステム構成を示す概念図である。
【図１３】本実施形態における本システムの利用者の指の動作の概念の一例を示す図である。
【図１４】本実施形態における本システムの動作モードの移行の一例を示す図である。
【図１５】本実施形態における認証装置１００の動作モード管理部１０２ｃにより実行される動作モードの移行処理の一例を示すフローチャートである。
【図１６】本実施形態における本システムの認識ボタンを操作対象物に設置する場合の一例を示す図である。
【図１７】本実施形態における本システムの認識ボタンを操作対象物に設置する場合の一例を示す図である。
【図１８】認識ボタンを操作対象物に設置する場合の基本構成を示す概念図である。
【図１９】認識装置１００を操作対象物である外部装置２００に設置する場合の別の構成を示す概念図である。
【図２０】本実施形態における本認証装置を遠隔操作装置に実装した場合の一例を示す図である。
【図２１】本実施形態における本認証装置を遠隔操作装置に実装した場合の一例を示す図である。
【図２２】本実施形態における本認証装置を遠隔操作装置に実装した場合の一例を示す図である。
【図２３】本実施形態における本システムの本認証装置を個人特定センサーとして実現する場合の一例を示す図である。
【図２４】本実施形態における本システムの本認証装置を他の外部装置と連携する場合の一例を示す図である。
【図２５】認証装置１００と他の装置との連携の一例を示す模式図である。
【図２６】本実施形態における本システムの本認証装置をハードキーとして実現する場合の一例を示す図である。
【図２７】本発明の認証装置１００のイメージキャプチャー機能付きディスプレイ部４０を用いて構成したバーコードディスプレイの概要を示す図である。
【図２８】本発明の認証装置１００のイメージキャプチャー機能付きディスプレイ部４０を用いて構成したアクティブ・バーコード・リーダの概要を示す図である。
【図２９】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３０】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３１】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３２】本発明の認証装置１００のイメージキャプチャー機能付きディスプレイ部４０を用いて構成したバーコードディスプレイおよびアクティブ・バーコード・リーダを携帯情報機器に適用した場合の利点を示す図である。
【図３３】本発明の認証装置１００のイメージキャプチャー機能付きディスプレイ部４０を用いて構成したバーコードディスプレイおよびアクティブ・バーコード・リーダを携帯情報機器に適用した場合の利点を示す図である。
【図３４】本発明の認証装置１００のイメージキャプチャー機能付きディスプレイ部４０を用いて構成したバーコードディスプレイおよびアクティブ・バーコード・リーダを携帯情報機器に適用した場合の利点を示す図である。
【図３５】本発明によるフィンガー・スポットとフィンガー・カーソルの概念を説明する概念図である。
【図３６】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３７】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３８】本発明の認証装置１００のイメージキャプチャー機能付きディスプレイ部４０を用いて構成したバーコードディスプレイおよびアクティブ・バーコード・リーダを携帯情報機器に適用した場合の概要を示す図である。
【図３９】本発明の認証装置１００のイメージキャプチャー機能付きディスプレイ部４０を用いて構成したバーコードディスプレイおよびアクティブ・バーコード・リーダを携帯情報機器に適用した場合の利点を示す図である。
【符号の説明】
１００  認証装置
１０    表示部
２０    イメージキャプチャー部
３０    表示オブジェクト（メニュー、ボタン、バーコード、フィンガー・スポット、フィンガー・カーソルなど）
４０    イメージキャプチャー機能付きディスプレイ部
１０２  制御部
１０２ａ  認識アルゴリズム部
１０２ｂ  命令情報実行部
１０２ｃ  動作モード管理部
１０２ｄ  指紋認証部
１０２ｅ  動作識別部
１０２ｆ  フィンガー・スポット認識部
１０２ｇ  フィンガー・カーソル表示制御部
１０４  通信制御インターフェース部
１０６  記憶部
１０６ａ  認証情報データベース
１０６ｂ  動作情報データベース
１０８  通信部
１１０  入出力制御インターフェース部
２００  外部装置
３００  ネットワーク
【図１】
2004334788.tif 000003
【図２】
2004334788.tif 000004
【図３】
2004334788.tif 000005
【図４】
2004334788.tif 000006
【図５】
2004334788.tif 000007
【図６】
2004334788.tif 000008
【図７】
2004334788.tif 000009
【図８】
2004334788.tif 000010
【図９】
2004334788.tif 000011
【図１０】
2004334788.tif 000012
【図１１】
2004334788.tif 000013
【図１２】
2004334788.tif 000014
【図１３】
2004334788.tif 000015
【図１４】
2004334788.tif 000016
【図１５】
2004334788.tif 000017
【図１６】
2004334788.tif 000018
【図１７】
2004334788.tif 000019
【図１８】
2004334788.tif 000020
【図１９】
2004334788.tif 000021
【図２０】
2004334788.tif 000022
【図２１】
2004334788.tif 000023
【図２２】
2004334788.tif 000024
【図２３】
2004334788.tif 000025
【図２４】
2004334788.tif 000026
【図２５】
2004334788.tif 000027
【図２６】
2004334788.tif 000028
【図２７】
2004334788.tif 000029
【図２８】
2004334788.tif 000030
【図２９】
2004334788.tif 000031
【図３０】
2004334788.tif 000032
【図３１】
2004334788.tif 000033
【図３２】
2004334788.tif 000034
【図３３】
2004334788.tif 000035
【図３４】
2004334788.tif 000036
【図３５】
2004334788.tif 000037
【図３６】
2004334788.tif 000038
【図３７】
2004334788.tif 000039
【図３８】
2004334788.tif 000040
【図３９】
2004334788.tif 000041